(57)【要約】  【課題】食品収納のスペースを最大限使用できることで、使い勝手を向上させた冷蔵庫を提供する。  【解決手段】冷蔵庫本体１０を上下に分割する区画壁１１により上部区画１２と下部区画１３に分割され、上部区画１２の前面開口部を塞ぐ扉は右扉と左扉の２つで構成し、そのうち少なくとも１つは引出し式扉１４で構成する。さらに、複数のワイヤーケースを引き出し式扉１４に設けることで、上部区画３２内に多種多様の食品の収納性を高めることができるとともに、引き出し式扉１４の堅牢感、高級感が向上し引き出し操作性が優れたものになり、使い勝手の良さを提供することができる。【選択図】図４
2007120906.tif 000002
【特許請求の範囲】
【請求項１】
断熱箱体で形成された冷蔵庫本体内を上下に分割する区画壁により上部区画と下部区画に分割され、いずれかの区画に少なくとも前面開口部を塞ぐ引出し式扉を備え、前記引出し式扉は横幅より高さ寸法が大きい縦長形状としたものにおいて、前記引出し式扉は上下方向に複数のワイヤーケースを備えたことを特徴とする冷蔵庫。
【請求項２】
断熱箱体で形成された冷蔵庫本体内を上下に分割する区画壁により上部区画と下部区画に分割され、前記上部区画内は左右の領域を有して前記左側領域の前面開口部を塞ぐ左扉と前記右側領域の前面開口部を塞ぐ右扉とを備え、そのうち少なくとも１つは引出し式扉で構成するとともに、前記引出し式扉は上下方向に複数のワイヤーケースを備えたことを特徴とする冷蔵庫。
【請求項３】
前記ワイヤーケースは溶接固定された複数の鉄線で構成されることを特徴とする請求項１または２に記載の冷蔵庫。
【請求項４】
前記ワイヤーケースは線径の異なる鉄線で構成されることを特徴とする請求項１から３のいずれか一項に記載の冷蔵庫。
【請求項５】
前記ワイヤーケースは両端が連結された環状鉄線と単一鉄線を折り曲げたものを組み合わせて形成したことを特徴とする請求項１から４のいずれか一項に記載の冷蔵庫。
【請求項６】
前記ワイヤーケースを構成する複数の鉄線はメッキを施したことを特徴とする請求項１から５のいずれか一項に記載の冷蔵庫。
【請求項７】
前記ワイヤーケースの底面部に底面ケースを備えたことを特徴とする請求項１から６のいずれか一項に記載の冷蔵庫。
【請求項８】
前記底面ケースは、前記ワイヤーケースの底面部全体を覆うことを特徴とする請求項７に記載の冷蔵庫。
【請求項９】
前記底面ケースの周縁にフランジを設けたことを特徴とする請求項７または８に記載の冷蔵庫。
【請求項１０】
前記底面ケースの底面周縁にリブを形成したことを特徴とする請求項７から９のいずれか一項に記載の冷蔵庫。
【請求項１１】
前記底面ケースは透明樹脂で形成したことを特徴とする請求項７から１０のいずれか一項に記載の冷蔵庫。
【発明の詳細な説明】
【技術分野】
【０００１】
本発明は、引出し式扉の収納性を高めた冷蔵庫の構造に関する。
【背景技術】
【０００２】
従来、食品の出し入れのしやすさから、比較的仕様頻度の低い冷凍室は下部、仕様頻度が高く収納物の多い冷蔵室は上部というレイアウトが一般化してきている。そして、例えばボトル類などの物品は通常この冷蔵室内に収納される冷蔵庫が考えられている。また、キッチンの限られたスペースにマッチした奥行寸法が短く、幅広の薄型冷蔵庫も提案されている（例えば、特許文献１参照）。
【０００３】
図９は、特許文献１に記載された従来の冷蔵庫の扉を開けた状態の斜視図である。図９において、１は冷蔵庫本体であり、上部に冷蔵室２、下部に冷凍室３を設けている。４は冷蔵室２の開口部に設けたヒンジ開閉式扉であり、室内側にボトル収納棚５が設けられている。そして、ボトル収納棚５にはボトル類のほか調味料などの小物や卵なども同時に収納される。
【特許文献１】実開昭６２−１６４５６５号公報
【発明の開示】
【発明が解決しようとする課題】
【０００４】
しかしながら、上記従来の構成では、近年の食生活の多様化による、特に大小のボトルやパック型の飲料の増加、チューブ類なども含めた様々な形態や種類の調味料類の急激な増加によりにより、ボトル収納棚５に収納する食品の量が増加し、さらに形態の多様化も相まって量的にも構造的にもボトル収納棚５に十分な収納性や、食品に対して均等で効率的な冷却が得られないという課題を有していた。
【０００５】
また、一方では対面キッチン等に見られる台所の洋風化に伴い、奥行寸法の短い、即ち従来より薄型の冷蔵庫も望まれている。この種の奥行の浅い冷蔵庫は、内容積を維持するため一般的な冷蔵庫の奥行に比べ冷蔵庫幅寸法が広く設定され、必然的に冷蔵室の扉の幅も大きくなる。このため、狭い台所での扉の開閉がし難い問題から、例えば冷蔵室扉４のように左右に分割して冷蔵室扉を小型化し、前記の問題に対応することが行われている。
【０００６】
しかしながら、上記のように左右に分割された冷蔵室扉４では左右扉間の間仕切り構造体にスペースを要し、ボトル収納棚５の有効スペースが幅方向に制約されてさらに収納量が減少する。一方、大型のボトル類などを収納するためにはその分室内側の収納スペースを奥行方向に侵害することになり、特に、上述した薄型の冷蔵庫では冷蔵庫全体としての収納性が著しく低下してしまう課題を有していた。
【０００７】
本発明は上記従来の課題を解決するもので、ボトル類などの多種多様の収納食品の収納性、保存性を高めた冷蔵庫を提供することを目的とする。
【課題を解決するための手段】
【０００８】
上記従来の課題を解決するために本発明の冷蔵庫は、断熱箱体で形成された冷蔵庫本体内を上下に分割する区画壁により上部区画と下部区画に分割され、いずれかの区画に少なくとも前面開口部を塞ぐ引出し式扉を備え、前記引出し式扉は横幅より高さ寸法が大きい縦長形状としたものにおいて、前記引出し式扉は上下方向に複数のワイヤーケースを備えたものである。
【０００９】
これにより、縦長形状の引出し式扉に収納されるボトル類などの多種多様の食品の収納性を高め、さらに収納食品に対し均等で効率的な冷却を行うことができる。
【００１０】
また、断熱箱体で形成された冷蔵庫本体内を上下に分割する区画壁により上部区画と下部区画に分割され、前記上部区画内は左右の領域を有して前記左側領域の前面開口部を塞ぐ左扉と前記右側領域の前面開口部を塞ぐ右扉とを備え、そのうち少なくとも１つは引出し式扉で構成するとともに、前記引出し式扉は上下方向に複数のワイヤーケースを備えたものである。
【００１１】
これにより、上部区画全体の収納性、使い勝手を高めたうえで、引出し式扉に収納されるボトル類などの多種多様の食品の収納性を高め、さらに収納食品に対し均等で効率的な冷却を行うことができる。
【発明の効果】
【００１２】
本発明の冷蔵庫は、横幅より高さ寸法が大きい縦長形状とした引出し式扉に収納されるケースを上下方向に複数のワイヤーケースで構成するため、収納食品に対し均等で効率的な冷却ができるとともに、ボトル類などの多種多様の食品の収納性を高めることができる。
【００１３】
また、上部区画内は左右の領域を有して前記左側領域の前面開口部を塞ぐ左扉と前記右側領域の前面開口部を塞ぐ右扉とを備え、そのうち少なくとも１つは引出し式扉で構成するとともに、前記引出し式扉は上下方向に複数のワイヤーケースを備えたので、立ち姿勢で楽に扉内を見渡せ使い勝手を向上することができる。また、引出し式扉を引き出した時に左右両側から収納物を取り出せるという利点も有する。また、収納食品に対し均等で効率的な冷却を行うことができる。
【発明を実施するための最良の形態】
【００１４】
請求項１に記載の発明は、断熱箱体で形成された冷蔵庫本体内を上下に分割する区画壁により上部区画と下部区画に分割され、いずれかの区画に少なくとも前面開口部を塞ぐ引出し式扉を備え、前記引出し式扉は横幅より高さ寸法が大きい縦長形状としたものにおいて、前記引出し式扉は上下方向に複数のワイヤーケースを備えたものであり、収納食品に対し均等で効率的な冷却ができるとともに、ボトル類などの多種多様の食品の収納性を高めることができる。
【００１５】
請求項２に記載の発明は、断熱箱体で形成された冷蔵庫本体内を上下に分割する区画壁により上部区画と下部区画に分割され、前記上部区画内は左右の領域を有して前記左側領域の前面開口部を塞ぐ左扉と前記右側領域の前面開口部を塞ぐ右扉とを備え、そのうち少なくとも１つは引出し式扉で構成するとともに、前記引出し式扉は上下方向に複数のワイヤーケースを備えたものであり、ワイヤーケースが上部区画に備えられた引出し式扉に構成されるためボトル類などの多種多様の食品の収納性を高めることができる。また、立ち姿勢で楽に扉内を見渡せ使い勝手を向上することができる。また、引出し式扉を引き出した時に左右両側から収納物を取り出せるという利点も有する。また、ワイヤーケースに収納された食品は冷気の対流が向上し効率的に冷却される。
【００１６】
請求項３に記載の発明は、請求項１または２に記載の発明において、前記ワイヤーケースは溶接固定された複数の鉄線で構成したものであり、ケース自体の強度が向上し大型のボトルやパック飲料といった重量物を安定して収納できる。また、鉄線間を冷気が通過することで収納物は、ほぼ全体に冷気が当たり均等に冷却される。また、鉄は熱伝達率が優れているため食品を効率よく冷却することができる。
【００１７】
請求項４に記載の発明は、請求項１から３のいずれか一項に記載の発明において、前記ワイヤーケースは線径の異なる鉄線で構成したものであり、太い鉄線はケースの堅牢感は確保し、細い鉄線はケース自体の重量を低減することで引出し式扉全体の重量を低減し引き出し時の操作性を向上することができる。
【００１８】
請求項５に記載の発明は、請求項１から４のいずれか一項に記載の発明において、前記ワイヤーケースは両端が連結された環状鉄線と単一鉄線を折り曲げたものを組み合わせて形成したものであり、鉄線の加工が簡略化されワイヤーケースのコスト低減を図ることができる。
【００１９】
請求項６に記載の発明は、請求項１から５のいずれか一項に記載の発明において、前記ワイヤーケースを構成する複数の鉄線はメッキを施したものであり、鉄線の錆び付き防止または汚れ防止を図ることができる。また、メッキを施すことでワイヤーケースに高級感を持たせることができる。
【００２０】
請求項７に記載の発明は、請求項１から６のいずれか一項に記載の発明において、前記ワイヤーケースの底面部に底面ケースを備えたものであり、収納食品の安定性が高まるとともに、下方への汚れの飛散防止、清掃性が向上する。
【００２１】
請求項８に記載の発明は、請求項７に記載の発明において、前記底面ケースは、前記ワイヤーケースの底面部全体を覆うものであり、底面ケースの安定性、収納性、下方への汚れの飛散防止効果が高まる。
【００２２】
請求項９に記載の発明は、請求項７または８に記載の発明において、前記底面ケースの周縁にフランジを設けたものであり、底面ケースの強度が向上するとともに、ワイヤーケースとの嵌合が確実となる。
【００２３】
請求項１０に記載の発明は、請求項７から９のいずれか一項に記載の発明において、前記底面ケースの底面周縁にリブを形成したものであり、底面ケースの強度が向上する。
【００２４】
請求項１１に記載の発明は、請求項７から１０のいずれか一項に記載の発明において、前記底面ケースは透明樹脂で形成したものであり、収納食品の視認性が高まるとともに、庫内の広々感を高めることができる。
【００２５】
以下、本発明による冷蔵庫の実施の形態について、図面を参照しながら説明する。なお、この実施の形態によってこの発明が限定されるものではない。
【００２６】
（実施の形態１）
以下、本発明の実施の形態１を図１から図６に基づいて説明する。図１は本発明の実施の形態１における冷蔵庫の正面図、図２は本発明の実施の形態１における冷蔵庫の断熱箱体の正面図、図３は本発明の実施の形態１における冷蔵庫の扉を開けた状態の斜視図である。図４は本発明の実施の形態１における冷蔵庫の引出し扉を後方から見た斜視図、図５は本発明の実施の形態１における冷蔵庫の引出し扉を前方から見た斜視図、図６は本発明の実施の形態１における冷蔵庫のワイヤーケースの斜視図である。
【００２７】
図１から図６に示すように、１０は断熱箱体で形成された冷蔵庫本体であり、冷蔵庫本体１０は、上下に分割する区画壁１１により上部区画１２と下部区画１３に分割されている。上部区画１２はその内部に左右の領域となる左側領域１２ａと右側領域１２ｂとを有しており、左側領域１２ａの前面開口部を塞ぐ扉としては引出し式扉１４を配置し、右側領域１２ｂの前面開口部を塞ぐ扉としてはヒンジ開閉式扉１５を配置している。引出し式扉１４の幅はヒンジ式扉１５の幅よりも小さく、横幅より高さ寸法が大きい縦長形状としている。そして、引出し式扉１４と隣り合う辺の反対側の辺にヒンジ式扉１５のヒンジ部１６を設けた構成となっている。すなわち、換言すればヒンジ式扉１５の反ヒンジ側に引出し式扉１４が並設された配置構成となっている。また、上部区画１２は、左側領域１２ａと右側領域１２ｂとは完全に区画されておらず、互いに連通した構成となっている。そして、上部区画１２内は、左側領域１２ａ，右側領域１２ｂを併せてともに冷蔵温度帯の貯蔵室となっている。また、引出し式扉１４で開閉される左側領域１２ａ内には上下方向に複数のワイヤーケース１７が設けられている。
【００２８】
引出し式扉１４は扉本体１８と、この扉本体１８と対向して室内後方に設けられた背面板１９と、この背面板１９の下部両端に取付けられ扉本体１８と連結された下部フレーム２０と、背面板１９の上部に取付けられた扉本体１８と連結された上部フレーム２１とで構成されている。背面板１９には支持手段としてＬ型断面を有した複数個の凸部２２が一体に形成されている。また、扉本体１８の室内側を形成する内板２３にも支持手段としてＬ型断面を有した複数個の凸部２４が一体に形成され、複数個の凸部２２と凸部２４は互いに対向する高さ位置に配置されている。また、背面板１９には開口部１９ａが複数形成され、奥面に配置した冷気ダクト（図示せず）の吐出口と開口部１９ａは対向している。
【００２９】
複数個設けられたワイヤーケース１７は、それぞれ線径が異なり、線径の太い鉄線２５と線径の細い鉄線２６とで構成されている。また、鉄線２５は両端が連結された環状構造であり、鉄線２６は単一鉄線を折り曲げて形成されている。そして、線径の細い鉄線２６が線径の太い鉄線２５に組み合わされた状態で各々は溶接にて固定されている。さらに、溶接にて固定されたワイヤーケース１７は全体にメッキが施されている。このワイヤーケース１７が背面板１９と内板２３の間に配置され、太い鉄線２５がそれぞれ内板２３の凸部２４と背面板１８の凸部２２に係合し指示固定される。複数個設けられたワイヤーケース１７の中で最上段に設置されたワイヤーケース１７は他のワイヤーケース１７に比べ高さを低く設定しており、背が低く小型で重量も軽い食品を収納している。
【００３０】
また、ワイヤーケース１７の上面には太い鉄線２５の左右に跨って設けたストッパ１７ａを備え、前後方向に移動可能に設定されている。またストッパ１７ａはワイヤーケース１７に着脱可能となっている。
【００３１】
上部区画１２内において、引出し式扉１４と反対側のヒンジ開閉式扉１５で開閉される右側領域１２ｂ内には収納物を載置する複数の棚２７を備えている。この棚２７は相互間の棚間寸法Ａをワイヤーケース１７の高さ寸法Ｂよりも大きくなるように設置されている。
【００３２】
低温室２８は収納容器２９を備えて、主として肉、魚介類、ハム等の生鮮食料品を０〜１℃程度の温度で貯蔵する。また、下部区画１３は左右に分割する区画壁３０により、左区画と右区画に分割され、左区画は上から順に引出し式扉３１を備えた製氷室３２、引出し式扉３３を備えた冷凍室３４で構成され、右区画は上から順に引出し式扉３５を備えた野菜室３６、引出し式扉３７を備えた冷凍室３８で構成されている。ここで、複数のワイヤーケース１７内には大小のペットボトルやビン類、缶類、紙パック等の飲料、調味量などの液状物容器、その他小物や卵など従来、冷蔵室の扉棚に収納されていた収納物を主に貯蔵でき、引出し式扉１４と一体に引き出せるよう構成している。
【００３３】
以上のように構成された冷蔵庫について、以下その動作について説明する。
【００３４】
冷蔵庫本体１０の上部区画１２を使用頻度の高い冷蔵温度帯の貯蔵室とすることで、立ち姿勢のまま食品収納をする割合を多くでき、使い勝手を向上することができる。
【００３５】
また、上部区画１２の前面開口部を塞ぐ扉の一方を引出し式扉１４とすることで、ボトル類などの多種多様の食品の収納性を高め、引出し式扉１４を引き出した時に左右両側からワイヤーケース１７内の収納物を取り出せ、使い勝手を向上することができる。
【００３６】
また、ワイヤーケース１７は複数の鉄線で構成されることで、鉄線間を冷気が通過するため食品が均等に冷却され、熱伝達が効率よく行われるため食品を効率よく冷却できる。さらに、溶接固定されているためワイヤーケース自体の強度が向上し大型のボトル類やパック類などの重量物を安定して収納でき、本実施の形態のように背の高いワイヤーケースを下段に設置することで出し入れ時に使用者の負担が軽減される。そして、重量物が下部に収納されるので重心が下がり冷蔵庫の設置安定性も高められる。特に、引出し式扉１４を冷蔵庫本体１０の上部区画１２に配置したものなどにあっては有効である。
【００３７】
また、線径の細い鉄線２６と線径の太い鉄線２５にて構成されたワイヤーケースは全体の堅牢感は太い鉄線で確保し、引出し式扉１４の操作感を向上させるために大部分に細い鉄線を用いることで相反する感じ方を両立して成り立たせている。さらにコストの面からみても細い鉄線が用いられれば全体のコスト低減にもつながる。
【００３８】
また、ワイヤーケース１７は線径の太い鉄線２５の両端のみ連結（溶接固定）し、他の線径の細い鉄線２６は両端連結なしの単線で固定されているが、これはワイヤーケース１７が鉄線を曲げ加工と溶接加工を行い成型しているためで、加工コストの視点で両加工を比較すると、明らかに溶接加工がコストがかかるためであり、できるだけ溶接加工をへらすことでワイヤーケース１７のコスト低減できる効果がある。
【００３９】
また、ワイヤーケース１７にメッキを施すことで錆付き防止や汚れ付着防止を図ることができる。さらにケースとしての高級感を向上できる。また、このワイヤーケース１７は仕様頻度の高い貯蔵室内にあるため冷蔵庫全体の高級感も向上できる。
【００４０】
一方、最上段に設置されているワイヤーケース１７は他よりも最も高さ寸法が低い仕様となっているため、調味料を含めた使用頻度の高く数量も多い小物類の収納が便利で楽になる。
【００４１】
また、ワイヤーケース１７の高さ寸法Ｂは右側領域１２ｂ内に複数設けられた棚２７の棚間寸法Ａより小さいため、取り外したワイヤーケース１７は右側領域１２ｂ内の任意の場所に設置して自由に利用することが可能となり、たとえば小物類などまとめて保管したり、卵を右側領域１２ｂ内で保管する要求にも対応できる。
【００４２】
また、上部区画１２内の左側領域１２ａと右側領域１２ｂとの境界面は左右に分割する区画壁等が存在せず連通しているので、上部区画１２内の食品収納スペースを最大限使用できるとともに、ヒンジ部１６が引出し式扉１４の反対側に設けられたヒンジ式扉１５を開放した場合には、上部区画１２内全体を見渡すことができるため、上部区画１２内の広々感をたもつことができ、使い勝手を向上することができる。
【００４３】
また、上部区画１２内の左側領域１２ａ，右側領域１２ｂともに冷蔵温度帯の同一温度帯に設定されるものであるので、両領域が連通していても冷却ダクト等の構成や冷却制御の構成が容易であり、相互の温度影響についても懸念することがないものである。
【００４４】
また、引出し式扉１４の幅をヒンジ式扉１５の幅よりも小さくすることで、人の腰よりも高い位置に引出し式扉１４を引き出したときにでも圧迫感がなく、ヒンジ式扉１５との幅方向のバランスがとれてデザイン性も向上する。
【００４５】
また、ワイヤーケース１７の上面には太い鉄線２５の左右に跨って設けたストッパ１７ａを備え、前後方向に移動可能となっているので、背の高いビンやペットボトルの倒れを確実に防止できる。
【００４６】
（実施の形態２）
図７は本発明の実施の形態２における冷蔵庫のワイヤーケースの斜視図、図８は本発明の実施の形態２における冷蔵庫のワイヤーケースの分解斜視図である。
【００４７】
図７、８において、ワイヤーケース１７の底面部全体を覆うように透明樹脂で形成した底面ケース４０を備え、底面ケース４０の周縁にフランジ４１を、底面周縁にリブ４２を一体に形成している。底面周縁のリブ４２は隅部の高さを辺部より部分的に高くしている。そして、底面ケース４０をワイヤーケース１７の底面部に着脱可能に配置し、設置時、ワイヤーケース１７の底面ワイヤーは、底面周縁のリブ４２の隅部の高さより低い辺部のリブに載置される。
【００４８】
上記構成により、ワイヤーケース１７の底面部に底面ケース４０を備えたことにより、収納食品の安定性が高まるとともに、下方への汚れの飛散防止、清掃性が向上する。
【００４９】
また、底面ケース４０は、ワイヤーケース１７の底面部全体を覆うことで、底面ケースの安定性、さらに収納性、下方への汚れの飛散防止効果が高まる。
【００５０】
また、底面ケース４０の周縁にフランジ４１を設けたので、底面ケース４０の強度が向上するとともに、底面ケース４０の上端周縁の成形時の変形をなくし、ワイヤーケース１７との嵌合が確実となる。また収納品からの液体の流下を防止できる。
【００５１】
また、底面ケース４０の底面周縁にリブ４２を形成したことで、底面ケースの底面強度が向上するとともに、設置時、ワイヤーケース１７の底面ワイヤーは、底面周縁のリブ４２の隅部の高さより低い辺部のリブの境界部近傍に載置する構造とすることで、収納スペースの拡大、底面ケース４０のズレを防止できる。また、底面ケース４０はワイヤーケース１７の底面部に着脱可能に配置しているので、底面ケース４０の清掃性が向上する。また、底面ケース４０は透明樹脂で形成したものであり、収納食品の視認性が高まるとともに、庫内の広々感を高めることができる。
【産業上の利用可能性】
【００５２】
以上のように、本発明にかかる冷蔵庫は、上部区画の左右領域を開閉する扉をそれぞれ設け、一方の扉を引出し式扉とし、そこに複数のワイヤーケースを設けることで、上部区画内で多種多様の食品の収納性を高めることで使い勝手が向上できるとともに、収納食品を均等にかつ効率的に冷却することが可能となるので、同様の引出し式扉を構成する冷蔵庫や収納器具等にも適用できる。
【図面の簡単な説明】
【００５３】
【図１】本発明の実施の形態１における冷蔵庫の正面図
【図２】本発明の実施の形態１における冷蔵庫の断熱箱体の正面図
【図３】本発明の実施の形態１における冷蔵庫の扉を開けた状態の斜視図
【図４】本発明の実施の形態１における冷蔵庫の要部斜視図
【図５】本発明の実施の形態１における冷蔵庫の要部斜視図
【図６】本発明の実施の形態１におけるワイヤーケースの斜視図
【図７】本発明の実施の形態２における冷蔵庫のワイヤーケースの斜視図
【図８】本発明の実施の形態２における冷蔵庫のワイヤーケースの分解斜視図
【図９】従来の冷蔵庫の扉を開けた状態の斜視図
【符号の説明】
【００５４】
１０  冷蔵庫本体
１１  区画壁
１２  上部区画
１２ａ  左側領域
１２ｂ  右側領域
１３  下部区画
１４  引き出し式扉
１７  ワイヤーケース
２５  太い鉄線
２６  細い鉄線
４０  底面ケース
４１  フランジ
４２  リブ
【図１】
2007120906.tif 000003
【図２】
2007120906.tif 000004
【図３】
2007120906.tif 000005
【図４】
2007120906.tif 000006
【図５】
2007120906.tif 000007
【図６】
2007120906.tif 000008
【図７】
2007120906.tif 000009
【図８】
2007120906.tif 000010
【図９】
2007120906.tif 000011